(57)【要約】【課題】イヤホンの高音の音漏れを周囲騒音のレベル、周波数成分を考慮して防止する。【解決手段】ブランク区間で周囲騒音、鳴動区間でイヤホンの漏れ音を集音するマイクロフォン117と、周囲騒音、イヤホン漏れ音レベルを検出するレベル検出部110と、周囲騒音の影響を除去したイヤホン漏れ音レベルと周囲騒音レベルの割合を複数の段階にランク付けて漏れ音指数を算出する漏れ音指数算出部101Aと、周囲騒音、イヤホン漏れ音を周波数分析し、周囲騒音の影響を除去したイヤホンの漏れ音の周波数分析の結果を得る周波数分析部102Aと、漏れ音指数に対してイヤホンへの音量を調整する音量調整量、イヤホン漏れ音、周囲騒音の周波数分析結果を考慮して増加させるべき音量調整量を保持する音量調整量保持部103Aと、漏れ音指数に対する音量調整量に合わせてイヤホンの漏れ音、周囲騒音の周波数分析結果を考慮して再生音のゲイン変更を行う音量調整設定部101Bを備える。【選択図】図１
2007088521.tif 000002
【特許請求の範囲】
【請求項１】
再生音が耳の隙間から漏れるイヤホンの音漏れ防止装置において、
イヤホンの再生音のブランク区間で周囲騒音を集音し、イヤホンの鳴動区間でイヤホンの漏れ音を集音するマイクロフォンと、
前記マイクロフォンで集音された周囲騒音、イヤホン漏れ音のレベルを検出するレベル検出部と、
前記レベル検出部で検出されたイヤホン漏れ音レベルから周囲騒音レベルを差し引いて周囲騒音の影響を除去したイヤホン漏れ音レベルと周囲騒音レベルの割合を複数の段階にランク付けて漏れ音指数を算出する漏れ音指数算出部と、
前記マイクロフォンで集音された周囲騒音、イヤホンの漏れ音を周波数分析し、イヤホンの漏れ音を周波数分析の結果から周囲騒音の周波数分析の結果を差し引いて周囲騒音の影響を除去したイヤホンの漏れ音の周波数分析の結果を得る周波数分析部と、
漏れ音指数に対してイヤホンへの音量を調整する音量調整量を保持し、イヤホン漏れ音、周囲騒音の周波数分析結果を考慮して増加させるべき音量調整量を保持する音量調整量保持部と、
前記漏れ音指数算出部からの漏れ音指数に対してイヤホンの漏れ音、周囲騒音の周波数分析結果を考慮して前記音量調整量保持部から音量調整量を取り出し音量調整量に合わせてイヤホンへの再生音のゲインを下げる変更を行うための音量調整設定部とを備えることを特徴とするイヤホンの音漏れ防止装置。
【請求項２】
周波数分析結果としてイヤホン漏れ音の高音成分＞低音成分、周囲騒音の高音成分＞低音成分の場合には音量調整量を増加させ、イヤホン漏れ音の高音成分＞低音成分、周囲騒音の高音成分≦低音成分の場合には音量調整量をさらに増加させることを特徴とする、請求項１に記載のイヤホンの音漏れ防止装置。
【請求項３】
前記音量調整量保持部は、前記漏れ音指数に閾値を設け、閾値以上の漏れ音指数に対して音量調整量を保持し、前記漏れ音指数算出部が算出した漏れ音指数が閾値未満の場合には音量の調整を中止することを特徴とする、請求項１に記載のイヤホンの音漏れ防止装置。
【請求項４】
前記音漏れ指数を表示することを特徴とする、請求項１に記載のイヤホンの音漏れ防止装置。
【請求項５】
音量調整ボタンを設け、前記音調調整量を表示した後、前記音調調整ボタンを押下する待機時間を設けることを特徴とする、イヤホンの音漏れ防止装置。
【請求項６】
オートゲインコントロール回路を設け、前記オートゲインコントロール回路はイヤホンへの再生音のゲインを制御し、前記音量調整部は前記音調調整量に合わせて前記オートゲインコントロール回路によりゲインを自動的に調整することを特徴とする、請求項１に記載のイヤホンの音漏れ防止装置。
【請求項７】
再生音が耳の隙間から漏れるイヤホンの音漏れ防止装置において、
イヤホンの再生音のブランク区間で周囲騒音を集音し、イヤホンの鳴動区間でイヤホンの漏れ音を集音するマイクロフォンと、
前記マイクロフォンで集音された周囲騒音、イヤホン漏れ音のレベルを検出するレベル検出部と、
前記レベル検出部で検出されたイヤホン漏れ音レベルから周囲騒音レベルを差し引いて周囲騒音の影響を除去したイヤホン漏れ音レベルと周囲騒音レベルの割合を複数の段階にランク付けて漏れ音指数を算出する漏れ音指数算出部と、
前記マイクロフォンで集音された周囲騒音、イヤホンの漏れ音を周波数分析し、イヤホンの漏れ音を周波数分析の結果から周囲騒音の周波数分析の結果を差し引いて周囲騒音の影響を除去したイヤホンの漏れ音の周波数分析の結果を得る周波数分析部と、
漏れ音指数に対してイヤホンへの音量を調整する音量調整量を保持する音量調整量保持部と、
前記周波数分析部で得た周囲騒音の影響を除去したイヤホンの漏れ音の周波数分析からイコライジング量を算出するイコライジング量算出部と、
前記イコライジング算出部で算出されたイコライジング量でイヤホンへの再生音をイコライジング処理するイコライジング処理部と、
前記漏れ音指数算出部からの漏れ音指数に対して前記音量調整量保持部から音量調整量を取り出し音量調整量に合わせてイヤホンへの再生音のゲインを下げる変更を行うための音量調整設定部とを備えることを特徴とするイヤホンの音漏れ防止装置。
【請求項８】
周囲騒音の周波数分析で低音成分＞高音成分である場合には、イヤホンへの再生音の低音成分をブーストするようにイコライジング処理を行うことを特徴とする、請求項７に記載のイヤホンの音漏れ防止装置。
【請求項９】
再生音が耳の隙間から漏れるイヤホンの音漏れ防止方法において、
イヤホンの再生音のブランク区間で周囲騒音を集音し、イヤホンの鳴動区間でイヤホンの漏れ音を集音する工程と、
集音された周囲騒音、イヤホン漏れ音のレベルを検出する工程と、
検出されたイヤホン漏れ音レベルから周囲騒音レベルを差し引いて周囲騒音の影響を除去したイヤホン漏れ音レベルと周囲騒音レベルの割合を複数の段階にランク付けて漏れ音指数を算出する工程と、
集音された周囲騒音、イヤホンの漏れ音を周波数分析し、イヤホンの漏れ音を周波数分析の結果から周囲騒音の周波数分析の結果を差し引いて周囲騒音の影響を除去したイヤホンの漏れ音の周波数分析の結果を得る工程と、
漏れ音指数に対してイヤホンへの音量を調整する音量調整量を保持し、イヤホン漏れ音、周囲騒音の周波数分析結果を考慮して増加させるべき音量調整量を保持する工程と、
算出された漏れ音指数に対してイヤホンの漏れ音、周囲騒音の周波数分析結果を考慮して保持された音量調整量に合わせてイヤホンへの再生音のゲインを下げる変更を行う工程とを備えることを特徴とするイヤホンの音漏れ防止方法。
【請求項１０】
再生音が耳の隙間から漏れるイヤホンの音漏れ防止をコンピュータで実行するプログラムにおいて、
イヤホンの再生音のブランク区間で周囲騒音を集音し、イヤホンの鳴動区間でイヤホンの漏れ音を集音する手順と、
集音された周囲騒音、イヤホン漏れ音のレベルを検出する手順と、
検出されたイヤホン漏れ音レベルから周囲騒音レベルを差し引いて周囲騒音の影響を除去したイヤホン漏れ音レベルと周囲騒音レベルの割合を複数の段階にランク付けて漏れ音指数を算出する手順と、
集音された周囲騒音、イヤホンの漏れ音を周波数分析し、イヤホンの漏れ音を周波数分析の結果から周囲騒音の周波数分析の結果を差し引いて周囲騒音の影響を除去したイヤホンの漏れ音の周波数分析の結果を得る手順と、
漏れ音指数に対してイヤホンへの音量を調整する音量調整量を保持し、イヤホン漏れ音、周囲騒音の周波数分析結果を考慮して増加させるべき音量調整量を保持する手順と、
漏れ音指数に対してイヤホンへの音量を調整する音量調整量を保持し、イヤホン漏れ音、周囲騒音の周波数分析結果を考慮して増加させるべき音量調整量を保持する工程と、
算出された漏れ音指数に対してイヤホンの漏れ音、周囲騒音の周波数分析結果を考慮して保持された音量調整量に合わせてイヤホンへの再生音のゲインを下げる変更を行う手順とを備えることを特徴とするイヤホンの音漏れ防止をコンピュータで実行するプログラム。
【請求項１１】
再生音が耳の隙間から漏れるイヤホンの音漏れ防止を行う携帯電話無線機において、
イヤホンの再生音のブランク区間で周囲騒音を集音し、イヤホンの鳴動区間でイヤホンの漏れ音を集音するマイクロフォンと、
前記マイクロフォンで集音された周囲騒音、イヤホン漏れ音のレベルを検出するレベル検出部と、
前記レベル検出部で検出されたイヤホン漏れ音レベルから周囲騒音レベルを差し引いて周囲騒音の影響を除去したイヤホン漏れ音レベルと周囲騒音レベルの割合を複数の段階にランク付けて漏れ音指数を算出する漏れ音指数算出部と、
前記マイクロフォンで集音された周囲騒音、イヤホンの漏れ音を周波数分析し、イヤホンの漏れ音を周波数分析の結果から周囲騒音の周波数分析の結果を差し引いて周囲騒音の影響を除去したイヤホンの漏れ音の周波数分析の結果を得る周波数分析部と、
漏れ音指数に対してイヤホンへの音量を調整する音量調整量を保持し、イヤホン漏れ音、周囲騒音の周波数分析結果を考慮して増加させるべき音量調整量を保持する音量調整量保持部と、
前記漏れ音指数算出部からの漏れ音指数に対してイヤホンの漏れ音、周囲騒音の周波数分析結果を考慮して前記音量調整量保持部から音量調整量を取り出し音量調整量に合わせてイヤホンへの再生音のゲインを下げる変更を行うための音量調整設定部とを備えることを特徴とする携帯電話無線機。
【請求項１２】
再生音が耳の隙間から漏れるイヤホンの音漏れ防止方法において、
イヤホンの再生音のブランク区間で周囲騒音を集音し、イヤホンの鳴動区間でイヤホンの漏れ音を集音する方法と、
集音された周囲騒音、イヤホン漏れ音のレベルを検出する方法と、
検出されたイヤホン漏れ音レベルから周囲騒音レベルを差し引いて周囲騒音の影響を除去したイヤホン漏れ音レベルと周囲騒音レベルの割合を複数の段階にランク付けて漏れ音指数を算出する工程と、
集音された周囲騒音、イヤホンの漏れ音を周波数分析し、イヤホンの漏れ音を周波数分析の結果から周囲騒音の周波数分析の結果を差し引いて周囲騒音の影響を除去したイヤホンの漏れ音の周波数分析の結果を得る工程と、
漏れ音指数に対してイヤホンへの音量を調整する音量調整量を保持する工程と、
周囲騒音の影響を除去したイヤホンの漏れ音の周波数分析からイコライジング量を算出する工程と、
算出されたイコライジング量でイヤホンへの再生音をイコライジング処理する工程と、
算出された漏れ音指数に対して保持された音量調整量を取り出し音量調整量に合わせてイヤホンへの再生音のゲインを下げる変更を行う工程とを備えることを特徴とするイヤホンの音漏れ防止方法。
【請求項１３】
再生音が耳の隙間から漏れるイヤホンの音漏れ防止をコンピュータで実行するプログラムにおいて、
イヤホンの再生音のブランク区間で周囲騒音を集音し、イヤホンの鳴動区間でイヤホンの漏れ音を集音する手順と、
集音された周囲騒音、イヤホン漏れ音のレベルを検出する手順と、
検出されたイヤホン漏れ音レベルから周囲騒音レベルを差し引いて周囲騒音の影響を除去したイヤホン漏れ音レベルと周囲騒音レベルの割合を複数の段階にランク付けて漏れ音指数を算出する手順と、
集音された周囲騒音、イヤホンの漏れ音を周波数分析し、イヤホンの漏れ音を周波数分析の結果から周囲騒音の周波数分析の結果を差し引いて周囲騒音の影響を除去したイヤホンの漏れ音の周波数分析の結果を得る手順と、
漏れ音指数に対してイヤホンへの音量を調整する音量調整量を保持する手順と、
周囲騒音の影響を除去したイヤホンの漏れ音の周波数分析からイコライジング量を算出する手順と、
算出されたイコライジング量でイヤホンへの再生音をイコライジング処理する工程と、
算出された漏れ音指数に対して保持された音量調整量を取り出し音量調整量に合わせてイヤホンへの再生音のゲインを下げる変更を行う手順とを備えることを特徴とするイヤホンの音漏れ防止をコンピュータで実行するプログラム。
【請求項１４】
再生音が耳の隙間から漏れるイヤホンの音漏れ防止を行う携帯電話無線機において、
イヤホンの再生音のブランク区間で周囲騒音を集音し、イヤホンの鳴動区間でイヤホンの漏れ音を集音するマイクロフォンと、
前記マイクロフォンで集音された周囲騒音、イヤホン漏れ音のレベルを検出するレベル検出部と、
前記レベル検出部で検出されたイヤホン漏れ音レベルから周囲騒音レベルを差し引いて周囲騒音の影響を除去したイヤホン漏れ音レベルと周囲騒音レベルの割合を複数の段階にランク付けて漏れ音指数を算出する漏れ音指数算出部と、
前記マイクロフォンで集音された周囲騒音、イヤホンの漏れ音を周波数分析し、イヤホンの漏れ音を周波数分析の結果から周囲騒音の周波数分析の結果を差し引いて周囲騒音の影響を除去したイヤホンの漏れ音の周波数分析の結果を得る周波数分析部と、
漏れ音指数に対してイヤホンへの音量を調整する音量調整量を保持する音量調整量保持部と、
前記周波数分析部で得た周囲騒音の影響を除去したイヤホンの漏れ音の周波数分析からイコライジング量を算出するイコライジング量算出部と、
前記イコライジング算出部で算出されたイコライジング量でイヤホンへの再生音をイコライジング処理するイコライジング処理部と、
前記漏れ音指数算出部からの漏れ音指数に対して前記音量調整量保持部から音量調整量を取り出し音量調整量に合わせてイヤホンへの再生音のゲインを下げる変更を行うための音量調整設定部とを備えることを特徴とする携帯電話無線機。
【発明の詳細な説明】
【技術分野】
【０００１】
本発明はオーディオプレイ機能を有する携帯電話無線機に関する。特に、本発明は、音楽再生時にイヤホンから再生音が漏洩するのを防止するイヤホンの音漏れ防止装置、方法、プログラム及び携帯電話無線機に関する。
【背景技術】
【０００２】
近年、携帯電話機の多機能化によりオーディオプレイヤー、ＦＭラジオチューナー、テレビジョンチューナーが内蔵された携帯電話機が市場に多く見られるになってきた。使用者が、上述した携帯電話機とステレオイヤホンマイクロフォンを用いて音楽等を聞く場合、使用者はステレオイヤホンマイクロフォンを使用しているためステレオイヤホンマイクロフォンのイヤホンからの音漏れがどの程度の音量であるかを自分自身で確認することができなかった。
例えば、使用者が人混みで音楽を聴く際にイヤホンからの再生音の音漏れが周囲にいる人に迷惑となるが、周囲騒音が特に大きい、例えば駅、電車内等の場所、周囲騒音が小さい図書館、待合い室等の場所では周囲の人に迷惑となるイヤホンからの音漏れの程度が異なるという問題がある。
特に、再生音の高音はイヤホンと耳との隙間から周囲に漏れ易く、イヤホンから漏れた高音は不快に感じる人が多く迷惑となるが、周囲騒音が高音である場所、低音である場所では周囲の人に迷惑となるイヤホンからの音漏れの程度が異なるという問題がある。
【０００３】
従来、個人が利用する音響装置において、音響装置外部への音漏れを最小限に抑える外部環境適応型音量調整方法に関し、外部環境に応じて最適な音量を自動設定することを目的とし、音響装置の外部の騒音レベルを検出し、騒音レベルの変化傾向に応じて音響装置が発する音量の制御を替えるものがある（例えば、特許文献１参照）。
しかしながら、上記特許文献１では、音響装置の外部の騒音レベルを検出し、外部環境に応じて最適な音量を自動設定するものであるが、イヤホンの高音の音漏れを周囲騒音のレベル、周波数成分を考慮して防止するものではない。
【０００４】
また、従来、音質を損わずに聴聞者の周囲の人に音漏れがしない様にするため、小型テープレコーダ或は携帯用CDプレーヤ等の携帯用再生装置及びこの装置に用いて好適なヘッドフォーン装置に関し、音声信号をヘッドフォーンにより聴く様にした再生装置又はヘッドフォーン装置に於いて、ヘッドフォーンに供給される音声信号の音漏れ帯域を減衰する帯域減衰手段を設け、この帯域減衰手段の減衰量を音声信号のレベルに応じて可変する様にした再生装置又はヘッドフォーン装置とすることでヘッドフォーンによって音楽等を聴いている人以外の周囲の人に音漏れ音が聞こえない様にすると共に音質の劣化を少くする様にしたものである（例えば、特許文献２参照）。
【０００５】
しかしながら、上記特許文献２では、ヘッドフォーンに供給される音声信号の音漏れ帯域を減衰する帯域減衰手段を設けるものがあるが、前述のように、イヤホンの高音の音漏れを周囲騒音のレベル、周波数成分を考慮して防止するものではない。
また、従来、携帯ラジオの使用環境条件による雑音の影響を自動的になくし、常に最適な音量・音質とするため、携帯ラジオ本体に内蔵したマイクロホンにて周囲雑音を集音し、フィルターにて特徴化し、ＣＰＵのプログラムもしくは外部メモリーのプログラムを用いて、周囲雑音に対して最適な音量・音質となるように音量調整器，増幅・調整回路を制御してイヤホーン出力とするものもある（例えば、特許文献３参照）。
【０００６】
しかしながら、上記特許文献３では、マイクロホンにて周囲雑音を集音し、フィルターにて特徴化し、周囲雑音に対して最適な音量・音質となるように音量調整を行うものであるが、前述のように、イヤホンの高音の音漏れを周囲騒音のレベル、周波数成分を考慮して防止するものではない。
また、従来、外部騒音に応じて音量を自動的に変化させて音楽や音声を聴き易い音量に調整するため、音量制御増幅器は音量制御信号の大きさに応じて増幅率を変え、音響信号を増幅して信号分離回路を介してイヤホンに送り、ここで音響に変換する。イヤホンはマイクロホンの機能を有しており、外部騒音をピックアップして騒音信号として信号分離回路へ送出し信号分離回路は、内部に演算増幅器を有し、音響信号と騒音信号とを分離して別々に取出す。騒音信号は、増幅器で増幅され、包絡線検波回路で包絡線検波されてその振幅が取出され、これを音量制御信号とし、音量制御増幅器に入力し、これにより周囲音の大きさに応じて聴き易い音量に自動的に調節されるものもある（例えば、特許文献４参照）。
【０００７】
しかしながら、上記特許文献４では、イヤホンのマイクロホンでピックアップした騒音信号の大きさに応じて聴き易くなるように音量を自動的に調節するものであるが、前述のように、イヤホンの高音の音漏れを周囲騒音のレベル、周波数成分を考慮して防止するものではない。
また、使用者の判断に頼ることなく完全に音漏れを防止するため、従来、ヘッドホンの音量と外部の騒音とを比較検出する騒音検出装置と、ヘッドホンの音量が外部の騒音より大きい場合は使用者に知らせる電気信号送出装置を備えたものがある（例えば、特許文献５参照）。
【０００８】
しかしながら、上記特許文献５では、ヘッドホンの音量と外部の騒音とを比較検出する騒音検出装置を設けるのであるが、前述のように、イヤホンの高音の音漏れを周囲騒音のレベル、周波数成分を考慮して防止するものではない。
また、従来、音漏れを極力抑え、聴取者本人にとっても、周囲の人々にとっても快適な再生が可能な音響再生装置を提供するため、ヘッドホンを装着した状態における外部への音漏れ周波数帯域を予め測定し、音漏れ周波数帯域を減衰する減衰フィルタを設けると共に、この減衰フィルタの動作を切り替える制御スイッチを設け、切り換えスイッチをオン・オフすることにより装着状態におけるヘッドホンから外部への音漏れを制御するものがある（例えば、特許文献６参照）。
【０００９】
しかしながら、上記特許文献６では、ヘッドホンを装着した状態における外部への音漏れ周波数帯域を予め測定し、音漏れ周波数帯域を減衰する減衰フィルタを設けるものであるが、前述のように、イヤホンの高音の音漏れを周囲騒音のレベル、周波数成分を考慮して防止するものではない。
【００１０】
【特許文献１】特開平０４−２７８７９６号公報
【特許文献２】特開平０３−２４７０９８号公報
【特許文献３】特開平１１−２２５０３０号公報
【特許文献４】特開平０８−２５０９４９号公報
【特許文献５】特開平０４−１２３５９８号公報
【特許文献６】特開平０３−２１４９９９号公報
【発明の開示】
【発明が解決しようとする課題】
【００１１】
したがって、本発明は上記問題点に鑑みて、イヤホンの高音の音漏れを周囲騒音のレベル、周波数成分を考慮して防止するイヤホンの音漏れ防止装置、方法、プログラム及び携帯電話無線を提供することを目的とする。
【課題を解決するための手段】
【００１２】
本発明は前記問題点を解決するために、再生音が耳の隙間から漏れるイヤホンの音漏れ防止装置において、イヤホンのブランク区間で周囲騒音を集音し、イヤホンの再生音の鳴動区間でイヤホンの漏れ音を集音するマイクロフォンと、前記マイクロフォンで集音された周囲騒音、イヤホン漏れ音のレベルを検出するレベル検出部と、前記レベル検出部で検出されたイヤホン漏れ音レベルから周囲騒音レベルを差し引いて周囲騒音の影響を除去したイヤホン漏れ音レベルと周囲騒音レベルの割合を複数の段階にランク付けて漏れ音指数を算出する漏れ音指数算出部と、前記マイクロフォンで集音された周囲騒音、イヤホンの漏れ音を周波数分析し、イヤホンの漏れ音を周波数分析の結果から周囲騒音の周波数分析の結果を差し引いて周囲騒音の影響を除去したイヤホンの漏れ音の周波数分析の結果を得る周波数分析部と、漏れ音指数に対してイヤホンへの音量を調整する音量調整量を保持し、イヤホン漏れ音、周囲騒音の周波数分析結果を考慮して増加させるべき音量調整量を保持する音量調整量保持部と、前記漏れ音指数算出部からの漏れ音指数に対してイヤホンの漏れ音、周囲騒音の周波数分析結果を考慮して前記音量調整量保持部から音量調整量を取り出し音量調整量に合わせてイヤホンへの再生音のゲインを下げる変更を行うための音量調整設定部を備えることを特徴とするイヤホンの音漏れ防止装置を提供する。
【００１３】
さらに、周波数分析結果としてイヤホン漏れ音の高音成分＞低音成分、周囲騒音の高音成分＞低音成分の場合には音量調整量を増加させ、イヤホン漏れ音の高音成分＞低音成分、周囲騒音の高音成分≦低音成分の場合には音量調整量をさらに増加させる。
さらに、前記音量調整量保持部は、前記漏れ音指数に閾値を設け、閾値以上の漏れ音指数に対して音量調整量を保持し、前記漏れ音指数算出部が算出した漏れ音指数が閾値未満の場合には音量の調整を中止する。
【００１４】
さらに、前記音漏れ指数を表示する。
さらに、音量調整ボタンを設け、前記音調調整量を表示した後、前記音調調整ボタンを押下する待機時間を設ける。
さらに、オートゲインコントロール回路を設け、前記オートゲインコントロール回路はイヤホンへの再生音のゲインを制御し、前記音量調整部は前記音調調整量に合わせて前記オートゲインコントロール回路によりゲインを自動的に調整する。
【００１５】
さらに、本発明は再生音が耳の隙間から漏れるイヤホンの音漏れ防止装置において、イヤホンの再生音のブランク区間で周囲騒音を集音し、イヤホンの鳴動区間でイヤホンの漏れ音を集音するマイクロフォンと、前記マイクロフォンで集音された周囲騒音、イヤホン漏れ音のレベルを検出するレベル検出部と、前記レベル検出部で検出されたイヤホン漏れ音レベルから周囲騒音レベルを差し引いて周囲騒音の影響を除去したイヤホン漏れ音レベルと周囲騒音レベルの割合を複数の段階にランク付けて漏れ音指数を算出する漏れ音指数算出部と、前記マイクロフォンで集音された周囲騒音、イヤホンの漏れ音を周波数分析し、イヤホンの漏れ音を周波数分析の結果から周囲騒音の周波数分析の結果を差し引いて周囲騒音の影響を除去したイヤホンの漏れ音の周波数分析の結果を得る周波数分析部と、漏れ音指数に対してイヤホンへの音量を調整する音量調整量を保持する音量調整量保持部と、前記周波数分析部で得た周囲騒音の影響を除去したイヤホンの漏れ音の周波数分析からイコライジング量を算出するイコライジング量算出部と、前記イコライジング算出部で算出されたイコライジング量でイヤホンへの再生音をイコライジング処理するイコライジング処理部と、前記漏れ音指数算出部からの漏れ音指数に対して前記音量調整量保持部から音量調整量を取り出し音量調整量に合わせてイヤホンへの再生音のゲインを下げる変更を行うための音量調整設定部とを備えることを特徴とするイヤホンの音漏れ防止装置を提供する。
【００１６】
さらに、周囲騒音の周波数分析で低音成分＞高音成分である場合には、イヤホンへの再生音の低音成分をブーストするようにイコライジング処理を行う。
さらに、本発明は、再生音が耳の隙間から漏れるイヤホンの音漏れ防止方法において、イヤホンの再生音のブランク区間で周囲騒音を集音し、イヤホンの鳴動区間でイヤホンの漏れ音を集音する工程と、集音された周囲騒音、イヤホン漏れ音のレベルを検出する工程と、検出されたイヤホン漏れ音レベルから周囲騒音レベルを差し引いて周囲騒音の影響を除去したイヤホン漏れ音レベルと周囲騒音レベルの割合を複数の段階にランク付けて漏れ音指数を算出する工程と、集音された周囲騒音、イヤホンの漏れ音を周波数分析し、イヤホンの漏れ音を周波数分析の結果から周囲騒音の周波数分析の結果を差し引いて周囲騒音の影響を除去したイヤホンの漏れ音の周波数分析の結果を得る工程と、漏れ音指数に対してイヤホンへの音量を調整する音量調整量を保持し、イヤホン漏れ音、周囲騒音の周波数分析結果を考慮して増加させるべき音量調整量を保持する工程と、算出された漏れ音指数に対してイヤホンの漏れ音、周囲騒音の周波数分析結果を考慮して保持された音量調整量に合わせてイヤホンへの再生音のゲインを下げる変更を行う工程とを備えることを特徴とするイヤホンの音漏れ防止方法を提供する。
【００１７】
さらに、本発明は、再生音が耳の隙間から漏れるイヤホンの音漏れ防止をコンピュータで実行するプログラムにおいて、イヤホンの再生音のブランク区間で周囲騒音を集音し、イヤホンの鳴動区間でイヤホンの漏れ音を集音する手順と、集音された周囲騒音、イヤホン漏れ音のレベルを検出する手順と、検出されたイヤホン漏れ音レベルから周囲騒音レベルを差し引いて周囲騒音の影響を除去したイヤホン漏れ音レベルと周囲騒音レベルの割合を複数の段階にランク付けて漏れ音指数を算出する手順と、集音された周囲騒音、イヤホンの漏れ音を周波数分析し、イヤホンの漏れ音を周波数分析の結果から周囲騒音の周波数分析の結果を差し引いて周囲騒音の影響を除去したイヤホンの漏れ音の周波数分析の結果を得る手順と、漏れ音指数に対してイヤホンへの音量を調整する音量調整量を保持し、イヤホン漏れ音、周囲騒音の周波数分析結果を考慮して増加させるべき音量調整量を保持する手順と、算出された漏れ音指数に対してイヤホンの漏れ音、周囲騒音の周波数分析結果を考慮して保持された音量調整量に合わせてイヤホンへの再生音のゲインを下げる変更を行う手順とを備えることを特徴とするイヤホンの音漏れ防止をコンピュータで実行するプログラムを提供する。
【００１８】
さらに、本発明は、再生音が耳の隙間から漏れるイヤホンの音漏れ防止を行う携帯電話無線機において、イヤホンの再生音のブランク区間で周囲騒音を集音し、イヤホンの鳴動区間でイヤホンの漏れ音を集音するマイクロフォンと、前記マイクロフォンで集音された周囲騒音、イヤホン漏れ音のレベルを検出するレベル検出部と、前記レベル検出部で検出されたイヤホン漏れ音レベルから周囲騒音レベルを差し引いて周囲騒音の影響を除去したイヤホン漏れ音レベルと周囲騒音レベルの割合を複数の段階にランク付けて漏れ音指数を算出する漏れ音指数算出部と、前記マイクロフォンで集音された周囲騒音、イヤホンの漏れ音を周波数分析し、イヤホンの漏れ音を周波数分析の結果から周囲騒音の周波数分析の結果を差し引いて周囲騒音の影響を除去したイヤホンの漏れ音の周波数分析の結果を得る周波数分析部と、漏れ音指数に対してイヤホンへの音量を調整する音量調整量を保持し、イヤホン漏れ音、周囲騒音の周波数分析結果を考慮して増加させるべき音量調整量を保持する音量調整量保持部と、前記漏れ音指数算出部からの漏れ音指数に対してイヤホンの漏れ音、周囲騒音の周波数分析結果を考慮して前記音量調整量保持部から音量調整量を取り出し音量調整量に合わせてイヤホンへの再生音のゲインを下げる変更を行うための音量調整設定部とを備えることを特徴とする携帯電話無線機を提供する。
【００１９】
さらに、本発明は、再生音が耳の隙間から漏れるイヤホンの音漏れ防止方法において、イヤホンの再生音のブランク区間で周囲騒音を集音し、イヤホンの鳴動区間でイヤホンの漏れ音を集音する方法と、集音された周囲騒音、イヤホン漏れ音のレベルを検出する方法と、検出されたイヤホン漏れ音レベルから周囲騒音レベルを差し引いて周囲騒音の影響を除去したイヤホン漏れ音レベルと周囲騒音レベルの割合を複数の段階にランク付けて漏れ音指数を算出する工程と、集音された周囲騒音、イヤホンの漏れ音を周波数分析し、イヤホンの漏れ音を周波数分析の結果から周囲騒音の周波数分析の結果を差し引いて周囲騒音の影響を除去したイヤホンの漏れ音の周波数分析の結果を得る工程と、漏れ音指数に対してイヤホンへの音量を調整する音量調整量を保持する工程と、周囲騒音の影響を除去したイヤホンの漏れ音の周波数分析からイコライジング量を算出する工程と、算出されたイコライジング量でイヤホンへの再生音をイコライジング処理する工程と、漏れ音指数に対して保持された音量調整量を取り出し音量調整量に合わせてイヤホンへの再生音のゲインを下げる変更を行う工程とを備えることを特徴とするイヤホンの音漏れ防止方法を提供する。
【００２０】
さらに、本発明は、再生音が耳の隙間から漏れるイヤホンの音漏れ防止をコンピュータで実行するプログラムにおいて、イヤホンの再生音のブランク区間で周囲騒音を集音し、イヤホンの鳴動区間でイヤホンの漏れ音を集音する手順と、集音された周囲騒音、イヤホン漏れ音のレベルを検出する手順と、検出されたイヤホン漏れ音レベルから周囲騒音レベルを差し引いて周囲騒音の影響を除去したイヤホン漏れ音レベルと周囲騒音レベルの割合を複数の段階にランク付けて漏れ音指数を算出する手順と、集音された周囲騒音、イヤホンの漏れ音を周波数分析し、イヤホンの漏れ音を周波数分析の結果から周囲騒音の周波数分析の結果を差し引いて周囲騒音の影響を除去したイヤホンの漏れ音の周波数分析の結果を得る手順と、漏れ音指数に対してイヤホンへの音量を調整する音量調整量を保持する手順と、周囲騒音の影響を除去したイヤホンの漏れ音の周波数分析からイコライジング量を算出する手順と、算出されたイコライジング量でイヤホンへの再生音をイコライジング処理する工程と、漏れ音指数に対して保持された音量調整量を取り出し音量調整量に合わせてイヤホンへの再生音のゲインを下げる変更を行う手順とを備えることを特徴とするイヤホンの音漏れ防止をコンピュータで実行するプログラムを提供する。
【００２１】
さらに、本発明は、再生音が耳の隙間から漏れるイヤホンの音漏れ防止を行う携帯電話無線機において、イヤホンの再生音のブランク区間で周囲騒音を集音し、イヤホンの鳴動区間でイヤホンの漏れ音を集音するマイクロフォンと、前記マイクロフォンで集音された周囲騒音、イヤホン漏れ音のレベルを検出するレベル検出部と、前記レベル検出部で検出されたイヤホン漏れ音レベルから周囲騒音レベルを差し引いて周囲騒音の影響を除去したイヤホン漏れ音レベルと周囲騒音レベルの割合を複数の段階にランク付けて漏れ音指数を算出する漏れ音指数算出部と、前記マイクロフォンで集音された周囲騒音、イヤホンの漏れ音を周波数分析し、イヤホンの漏れ音を周波数分析の結果から周囲騒音の周波数分析の結果を差し引いて周囲騒音の影響を除去したイヤホンの漏れ音の周波数分析の結果を得る周波数分析部と、漏れ音指数に対してイヤホンへの音量を調整する音量調整量を保持する音量調整量保持部と、前記周波数分析部で得た周囲騒音の影響を除去したイヤホンの漏れ音の周波数分析からイコライジング量を算出するイコライジング量算出部と、前記イコライジング算出部で算出されたイコライジング量でイヤホンへの再生音をイコライジング処理するイコライジング処理部と、前記漏れ音指数算出部からの漏れ音指数に対して前記音量調整量保持部から音量調整量を取り出し音量調整量に合わせてイヤホンへの再生音のゲインを下げる変更を行うための音量調整設定部とを備えることを特徴とする携帯電話無線機を提供する。
【発明の効果】
【００２２】
以上説明したように、本発明によれば、イヤホンのブランク区間で周囲騒音を集音し、イヤホンの再生音の鳴動区間でイヤホンの漏れ音を集音し、集音された周囲騒音、イヤホン漏れ音のレベルを検出し、検出されたイヤホン漏れ音レベルから周囲騒音レベルを差し引いて周囲騒音の影響を除去したイヤホン漏れ音レベルを複数の段階にランク付けて漏れ音指数を算出し、集音された周囲騒音、イヤホンの漏れ音を周波数分析し、イヤホンの漏れ音を周波数分析の結果から周囲騒音の周波数分析の結果を差し引いて周囲騒音の影響を除去したイヤホンの漏れ音の周波数分析の結果を得て、漏れ音指数に対してイヤホンへの音量を調整する音量調整量を保持し、イヤホン漏れ音の高音成分が低音成分よりも多い場合には増加させるべき音量調整量を保持し、算出された漏れ音指数に対してイヤホンの漏れ音、周囲騒音の周波数分析結果を考慮して保持された音量調整量に合わせてイヤホンへの再生音のゲインを下げる変更を行うようにしたので、携帯電話無線機に内蔵されるオーディオプレイヤーで楽曲を再生しステレオイヤホンマイクロフォンを用いて聴く際に使用者の特定キーの押下によりマイクロフォンでイヤホンから漏れる音と周囲騒音を測定し、レベルを算出し、周波数分析部で周波数分析を行い、イヤホンからの漏れ音のレベルに応じて、周波数分析を考慮して、イヤホンからの漏れ音がどの程度周囲の人に影響を与えているかを算出し、表示部に表示することが可能となる。
また、イヤホンからの漏れ音のレベルが大きく周囲の人に迷惑となっている場合は、表示部に表示し使用者に通知して周囲の人への迷惑とならないようなイヤホンへの入力信号を押さえる音量調整量を算出し、使用者の音量調整ボタンの押下によりイヤホンへの入力信号の調整を可能とし、周囲の人へ迷惑とならない音量レベルに調整することが可能となる。
【００２３】
さらに、イヤホンの再生音のブランク区間で周囲騒音を集音し、イヤホンの鳴動区間でイヤホンの漏れ音を集音し、集音された周囲騒音、イヤホン漏れ音のレベルを検出し、検出されたイヤホン漏れ音レベルから周囲騒音レベルを差し引いて周囲騒音の影響を除去したイヤホン漏れ音レベルと周囲騒音レベルの割合を複数の段階にランク付けて漏れ音指数を算出し、集音された周囲騒音、イヤホンの漏れ音を周波数分析し、イヤホンの漏れ音を周波数分析の結果から周囲騒音の周波数分析の結果を差し引いて周囲騒音の影響を除去したイヤホンの漏れ音の周波数分析の結果を得て、漏れ音指数に対してイヤホンへの音量を調整する音量調整量を保持し、周囲騒音の影響を除去したイヤホンの漏れ音の周波数分析からイコライジング量を算出し、算出されたイコライジング量でイヤホンへの再生音をイコライジング処理し、算出された漏れ音指数に対して保持された音量調整量を取り出し音量調整量に合わせてイヤホンへの再生音のゲインを下げる変更を行うようにしたので、イヤホンの音漏れを防止しつつ楽曲が聴き易くした再生が可能になる。
【発明を実施するための最良の形態】
【００２４】
以下、本発明の実施の形態について図面を参照して説明する。
図１は本発明に係る携帯電話無線機の概略構成を示すブロック図である。本図に示す携帯電話無線機１００にはイヤホンの音漏れ防止装置が設けられ、イヤホンの音漏れ防止装置はイヤホンからの再生音が耳の隙間から漏れる音漏れ防止をコンピュータのプログラム制御で実行する。
【００２５】
携帯電話無線機１００には制御部１０１が設けられ、制御部１０１はＣＰＵ（中央演算装置）で構成され、各ブロックの制御と各種演算処理を行う機能を有する。
ＣＰＵ１０１には音響処理部１０２が設けられ、音響処理部１０２はＤＳＰ（Ｄｉｇｉｔａｌ  Ｓｉｇｎａｌ  Ｐｒｏｃｅｓｓｏｒ）で構成され、デジタル信号処理を行う。
ＣＰＵ１０１、ＤＳＰ１０２にはメモリ１０３が接続され、メモリ１０３はＣＰＵ１０１、ＤＳＰ１０２が処理する各種プログラム、データを記憶する。
【００２６】
さらに、ＣＰＵ１０１には操作部１０４、表示部１０５、無線部１０６が接続される。
ここに、操作部１０４はキーボードを有し、文字入力、機能呼び出しの操作を行い、表示部１０５は文字表示、機能表示等を行うディスプレイであり、無線部１０６は基地局と通信を行う無線部である。
さらに、携帯電話無線機１００にはマイクロフォン１０７が設けられ、マイクロフォン１０７は通話音声及び周囲騒音を集音し電気信号に変換する。
【００２７】
マイクロフォン１０７にはマイクロフォン増幅器１０８が接続され、マイクロフォン増幅器１０８はマイクロフォン１０７の出力信号を増幅する。
マイクロフォン増幅器１０８にはＡ／Ｄコンバータ１０９が接続され、Ａ／Ｄ（Ａｎａｌｏｇ  ｔｏ  Ｄｉｇｉｔａｌ）コンバータ１０９はマイクロフォン増幅器１０８で増幅されたアナログ信号をデジタル信号に変換する機能を有し、音響処理部１０２に出力する。
【００２８】
Ａ／Ｄコンバータ１０９にはレベル検出回路１１０が接続され、レベル検出回路１１０はデジタル信号のレベルを検出し制御部１０１に出力する。
ＤＳＰ１０２にはＤ／Ａ（Ｄｉｇｉｔａｌ  ｔｏ  Ａｎａｌｏｇ）コンバータ１１１が接続され、Ｄ／Ａコンバータ１１１はＤＳＰ１０２から出力されたデジタル信号をアナログ信号に変換する機能を有する。
【００２９】
Ｄ／Ａコンバータ１１１にはレシーバ増幅器１１２が接続され、レシーバ増幅器１１２はＤ／Ａコンバータ１１１でアナログ信号に変換された受話音、音楽信号を増幅する。
レシーバ増幅器１１２には受話用レシーバ１１３が接続され、受話用レシーバ１１３はレシーバ増幅器１１２で増幅された信号が入力され受話音声、楽曲を鳴動する。
さらに、携帯電話無線機１００にはステレオイヤホンマイクロフォン１１６が設けられ、ステレオイヤホンマイクロフォン１１６はマイクロフォン１１７と２つのイヤホン１１８を有し、図示しないイヤホンジャックで携帯電話無線機１００の本体に接続される。
【００３０】
さらに、携帯電話無線機１００にはイヤホン切替回路１１４が設けられ、イヤホン切替回路１１４は、携帯電話無線機１００に設けられている図示しないヘッドセットジャックにステレオイヤホンマイクロフォン１１６のイヤホンジャンクが挿入されると、スイッチングにより、ステレオイヤホンマイクロフォン１１６におけるマイクロフォン１１７からの通話音声及び周囲騒音の出力信号をマイクロフォン増幅器１０８に入力し、レシーバ増幅器１１２で増幅された受話音声信号をステレオイヤホンマイクロフォン１１６のイヤホン１１８に入力し、受話音声、楽曲を出力させる。
【００３１】
さらに、制御部１０１には各種演算処理として本発明の特徴である漏れ音指数算出部１０１Ａ、音量調整量部１０１Ｂが設けられる。
漏れ音指数算出部１０１Ａは、周囲騒音、ステレオイヤホンマイクロフォン１１６のイヤホン１１８からの音漏れがステレオイヤホンマイクロフォン１１６のマイクロフォン１１７で集音されると、集音された周囲騒音、イヤホン１１８の音漏れのレベルがレベル検出回路１１０により検出され、時間平均値が求められイヤホン１１８の音漏れがどの程度大きく目立つかという漏れ音指数を算出する。イヤホン１１８の音漏れによる周囲の人への迷惑度としてイヤホン１１８の音漏れレベル／周囲騒音レベルを５段階にランク分けして漏れ音指数を算出する。
【００３２】
音量調整量部１０１Ｂは漏れ音指数算出部１０１Ａにより得られた漏れ音指数がある閾値を超える場合には周囲騒音のレベル、イヤホン１１８からの音漏れレベルと後述する周波数分析結果を考慮して、周囲の人に迷惑となる音量調整量に合わせたゲインをレシーバ増幅器１１２に設定変更する。
さらに、音響処理部１０２はデジタル信号処理としてメモリ１０３、図示しない外部メモリに保存されているＭＰ３（ＭＰＥＧ−１  Ａｕｄｉｏ  Ｌａｙｅｒ−３）などの形式で保存された楽曲データをデジタル処理しＤ／Ａコンバータ１１１に出力し再生し、さらに、本発明の特徴である周波数分析部１０２Ａが設けられる。
【００３３】
周波数分析部１０２ＡはＡ／Ｄコンバータ１０９からデジタル信号を入力し、ステレオイヤホンマイクロフォン１１６のマイクロフォン１１７で集音されたイヤホン１１８の音漏れ、周囲騒音に対して周波数分析を行う。
さらに、メモリ１０３には音量調整量保持部１０３Ａが設けられ、音量調整量保持部１０３Ａは漏れ音指数に対する音量調整量を保持し、さらに、周波数分析結果を考慮した音量調整量を保持する。
【００３４】
さらに、操作部１０４には図示しない特定キーとして漏れ音チェックボタン１０４Ａ、音量調整ボタン１０４Ｂが割り当てられる。
オーディオプレイヤー（図示しない）のオーディオプレイモード時に使用者が漏れ音チェックボタン１０４Ａを押下することにより、漏れ音チェックモードに移行し、ステレオイヤホンマイクロフォン１１６のマイクロフォン１１７、イヤホン１１８、マイクロフォン増幅器１０８、Ａ／Ｄコンバータ１０９、レベル検出回路１１０が起動する。
【００３５】
使用者が音量調整ボタン１０４Ｂを押下すると、制御部１０１はメモリ１０３の音量調整量保持部１０３Ａに保持されている音量調整量に合わせてレシーバ増幅器１１２のゲインが小さくなるように変更を行い、ステレオイヤホンマイクロフォン１１６のイヤホン１１８への入力信号を調整する。
図２はステレオイヤホンマイクロフォン１１６のマイクロフォン１１７による周囲騒音、イヤホン１１８からの漏れ音の処理を説明するタイミングを説明する図である。
【００３６】
本図（ａ）に示すように、オーディオプレイモード時には使用者が操作部１０４の特定キー（図示しない）を押下し、曲の再生を行うと、曲が再生されるまでの区間に無音区間（以後、ブランク区間という）、曲間の区間にブランク区間が発生する。
本図(ｂ)に示すように、使用者が操作部１０４の漏れ音チェックボタン１０４Ａを押下すると、漏れ音チェックモードに移行する。制御部１０１では音響処理部１０２から楽曲データの再生情報からブランク区間、楽曲鳴動区間を得てレベル検出回路１１０が制御され、レベル検出回路１１０により、ブランク区間で周囲騒音レベルが測定される。
【００３７】
本図(ｃ)に示すように、楽曲鳴動時の区間ではある特定の間隔で、レベル検出回路１１０により、イヤホン１１８の漏れ音レベルが複数回測定される。イヤホン１１８の漏れ音レベルには周囲騒音のレベルも含まれている。
制御部１０１の漏れ音指数算出部１０１Ａではレベル検出回路１１０で測定された周囲騒音レベル、イヤホン１１８からの音漏れレベルの時間平均値を取る。
【００３８】
本図(ｄ)に示すように、音響処理部１０２の周波数分析部１０２Ａでは、曲が再生されるまでのブランク区間、曲間のブランク区間では、周囲騒音の周波数分析が行われる。
本図(ｅ)に示すように、音響処理部１０２の周波数分析部１０２Ａでは、楽曲鳴動時の区間ではイヤホン１１８の漏れ音の周波数分析が行われる。イヤホン１１８の漏れ音の周波数分析には周囲騒音の周波数分析も含まれている。
【００３９】
本図(ｆ)に示すように、制御部１０１の漏れ音指数算出部１０１Ａでは、本図（ｂ）の周囲騒音レベル、本図（ｃ）のイヤホン１１８の漏れ音レベルを基に、漏れ音指数を算出し、表示部１０５に表示させる。
本図(ｇ)に示すように、使用者による操作部１０４の音量調整ボタン１０４Ｂの押下が行われる。
【００４０】
本図（ｈ）に示すように、制御部１０１の音量調整量部１０１Ｂでは、本図（ｃ）のイヤホン１１８の漏れ音指数に対応する音量調整量を行う。特に、本図（ｄ）、（ｅ）の周囲騒音、イヤホン１１８の漏れ音の周波数分析結果を考慮して、制御部１０１はレシーバ増幅器１１２に対して音量調整量に合わせてゲインが小さくなるように設定変更を行い、ステレオイヤホンマイクロフォン１１６のイヤホン１１８への入力信号を調整する。
【００４１】
図３は図１における制御部１０１の漏れ音指数算出部１０１Ａで算出される漏れ音指数の例を説明する図である。本図に示すように、制御部１０１の漏れ音指数算出部１０１Ａではレベル検出回路１１０からイヤホン１１８の測定音漏れレベル、測定周囲騒音レベルを入力し、イヤホン１１８の測定音漏れレベルから測定周囲騒音レベルを差し引いて周囲騒音の影響を除去したイヤホン１１８の漏れ音レベルと周囲騒音レベルの割合（＝イヤホン１１８の漏れ音レベル／周囲騒音レベル）を算出し、イヤホン１１８の漏れ音レベルと周囲騒音レベルの割合が０〜１（未満）の場合、漏れ音指数＝１であり、１（以上）〜２（未満）の場合、漏れ指数＝２であり、２（以上）〜３（未満）の場合、漏れ指数＝３であり、４（以上）〜５（未満）の場合、漏れ指数＝４であり、５（以上）〜の場合は漏れ指数＝５となるように、漏れ音指数を算出する。
【００４２】
図４は図１における音響処理部１０２の周波数分析部１０２Ａの周波数分析結果の例を説明する図である。本図（ａ）に示すように、イヤホン１１８の漏れ音の周波数分析の測定結果が得られ、本図（ｂ）に示すように、周囲騒音の周波数分析の測定結果が得られ、本図（ｃ）に示すように、本図（ａ）のイヤホン１１８の漏れ音の周波数分析の測定結果から本図（ｂ）の周囲騒音の周波数分析の測定結果を差し引いて周囲騒音の影響を除去したイヤホン１１８の漏れ音の周波数分析が得られる。
【００４３】
図５は図１における制御部１０１の漏れ音指数算出部１０１Ａによるイヤホン１１８の漏れ音、周波数音の周波数分析評価を示す図である。
音量調整量算出部１０１Ｂでは、周波数分析部１０２Ａの周波数分析に基づき、周囲騒音の影響を除去したイヤホン１１８の漏れ音に対して、高音成分＞低音成分、高音成分＜低音成分、高音成分＝低音成分の評価を行う。
【００４４】
同様に、周囲騒音に対して、高音成分＞低音成分、高音成分＜低音成分、高音成分＝低音成分の評価を行う。
図６は図１におけるメモリ１０３の音量調整量保持部１０３Ａに保持される音量調整量の例を説明する図である。本図に示すように、音量調整量保持部１０３Ａでは漏れ音指数に対して音量調整量が設定される。すなわち、漏れ音指数「１」、「２」に対して音量調整量は設定されないが、イヤホン１１８の漏れ音に対して低音成分≧高音成分（周囲騒音には制限無し）の場合、漏れ音指数「３」に対しては音量調整量「−Δ」が設定され、漏れ音指数「４」に対しては音量調整量「−２Δ」が設定され、漏れ音指数「５」に対しては音量調整量「−３Δ」が設定される。
【００４５】
このようにして、漏れ音指数が閾値「３」以上になると、制御部１０１では、音量調整量に合わせてレシーバ増幅器１１２のゲインが小さくなるように変更を行い、ステレオイヤホンマイクロフォン１１６のイヤホン１１８への入力信号を調整する。
イヤホン１１８の漏れ音に対して低音成分＜高音成分、周囲騒音に対して低音成分＜高音成分の場合には、漏れ音指数「１」に対して音量調整量は設定されず、漏れ音指数「２」に対しては音量調整量「−Δ」が設定され、漏れ音指数「３」に対しては音量調整量「−２Δ」が設定され、漏れ音指数「４」に対しては音量調整量「−３Δ」が設定され、漏れ音指数「５」に対しては音量調整量「−４Δ」が設定される。この場合、イヤホン118の漏れ音の高温が目立つが周囲騒音の高音で相殺されることを考慮する。
【００４６】
さらに、イヤホン１１８の漏れ音に対して低音成分＜高音成分、周囲騒音に対して低音成分≧高音成分の場合には、漏れ音指数「１」に対して音量調整量は設定されず、漏れ音指数「２」に対しては音量調整量「−２Δ」が設定され、漏れ音指数「３」に対しては音量調整量「−３Δ」が設定され、漏れ音指数「４」に対しては音量調整量「−４Δ」が設定され、漏れ音指数「５」に対しては音量調整量「−５Δ」が設定される。この場合、周囲騒音が低音であるのでイヤホン118の漏れ音の高音がきわだって目立つことを考慮する。
【００４７】
このように、イヤホン１１８の漏れ音に高音成分があるとの周波数分析結果を考慮して音量調整量を大きくし、イヤホン１１８の高音の漏れ音が目立つのを防止し、制御部１０１では、音量調整量に合わせてレシーバ増幅器１１２のゲインが小さくなるように変更を行い、ステレオイヤホンマイクロフォン１１６のイヤホン１１８への入力信号を調整する。
【００４８】
図７は携帯電話無線機に内蔵されるオーディオプレイヤーを起動してステレオイヤホンマイクロフォン１１６で音楽を聴く動作について説明するフローチャート図である。
ステップ２０１において、携帯電話無線機１００が待ち受け状態にあるとする。
ステップ２０２において、使用者が操作部１０４の特定キーを押下する。
ステップ２０３において、携帯電話無線機１００はオーディオプレイモードに移行する。すなわち、表示部１０５にオーディオプレイモード用の画面が表示され、使用者の操作部１０４へのキー入力により、メモリ１０３、図示しない外部メモリに保存されているＭＰ３などの形式で保存された楽曲データが読み出され、音響処理部１０２によりデジタル処理／再生され、Ｄ／Ａコンバータ１１１でデジタル信号からアナログ信号に変換されレシーバ増幅器１１２で増幅され、ステレオイヤホンマイクロフォン１１６のイヤホン１１８より出力可能な状態に移行される。
【００４９】
ステップ２０４において、ここで、表示部１０５にて漏れ音チェックモードを開始する漏れ音チェックボタン１０４Ａが操作部１０４に割り当てられたことを表示し、使用者が漏れ音チェックボタン１０４Ａを押下したかを判断する。押下しない場合にはステップ２０６に進む。
ステップ２０５において、使用者が操作部１０４の漏れ音チェックボタン１０４Ａを押下した場合、後述する漏れ音チェックモードが起動される。
【００５０】
ステップ２０６において、使用者が操作部１０４の漏れ音チェックボタン１０４Ａが押下されていない場合、漏れ音チェックモード終了後にメモリ１０３、図示しない外部メモリに保存されているＭＰ３などの形式で保存されている楽曲データが音響処理部１０２によりデジタル処理／再生され、Ｄ／Ａコンバータ１１１によりデジタル信号からアナログ信号に変換され、レシーバ増幅器１１２で増幅され、ステレオイヤホンマイクロフォン１１６のイヤホン１１８より出力される。
【００５１】
ステップ２０７において、使用者の操作部１０４の操作によりオーディオプレイモードが終了する。
図８は図１の漏れ音チェックモードの動作であり、携帯電話無線機１００に内蔵されているオーディオプレイヤーをステレオイヤホンマイクロフォン１１６で聴く場合に操作部１０４の漏れ音チェックボタン１０４Ａを押下して行われるイヤホン１１８からの音漏れ及び周囲騒音レベルを集音し測定結果処理し表示部１０５に表示し、音圧調整する一連の動作を説明するフローチャートである。
【００５２】
ステップ２１１において、携帯電話無線機１００はオーディオプレイモードに移行する。これにより、ステレオイヤホンマイクロフォン１１６のマイクロフォン１１７、マイクロフォン増幅器１０８、Ａ／Ｄコンバータ１０９が起動する。
ステップ２１２において、使用者により操作部１０４の漏れ音チェックボタン１０４Ａが押下される。
【００５３】
ステップ２１３において、携帯電話無線機１００は漏れ音チェックモードに移行する。これにより、レベル検出回路１１０が起動する。すなわち、ステレオイヤホンマイクロフォン１１６のマイクロフォン１１７で集音された音は電気信号に変換され、マイクロフォン増幅器１０８で増幅され、Ａ／Ｄコンバータ１０９でアナログ信号からデジタル信号に変換された後に、レベル検出回路１１０にてレベルの検出を行う。レベルの検出結果を制御部１０１の漏れ音指数算出部１０１Ａに送る。
【００５４】
ステップ２１４において、図２のタイミングでステレオイヤホンマイクロフォン１１６のマイクロフォン１１７により周囲騒音を測定する。すなわち、オーディオプレイモード移行した使用者が操作部１０４に割り当てられた特定キーを押下してから曲が再生されるまでのブランク区間、曲間のブランク区間で周囲騒音のレベルが測定され、平均処理される。
【００５５】
ステップ２１５において、図２のタイミングでステレオイヤホンマイクロフォン１１６のイヤホン１１８からの漏れ音を測定する。すなわち、楽曲鳴動時のある特定の間隔でイヤホン１１８からの漏れ音レベルが複数回測定され、平均処理される。
ステップ２１６において、イヤホン１１８の測定漏れ音レベルから周囲騒音の測定レベルが差し引かれ、周囲騒音の影響を除去したイヤホン１１８の漏れ音レベルが検出される。求めたレベルの検出結果を制御部１０１の漏れ音指数算出部１０１Ａに送る。
【００５６】
ステップ２１７において、音響処理部１０２の周波数分析部１０２Ａでステレオイヤホンマイクロフォン１１６のマイクロフォン１１７で集音された周囲騒音、イヤホン１１８からの漏れ音の周波数分析を行い、イヤホン１１８の測定周波数分析から周囲騒音の測定周波数分析を差し引き、周囲騒音の影響を除去したイヤホン１１８の周波数分析を求める。求めた周波数分析結果を制御部１０１の漏れ音指数算出部１０１Ａに送る。
【００５７】
ステップ２１８において、制御部１０１の漏れ音指数算出部１０１Ａでは周囲騒音の影響を除去したイヤホン１１８の漏れ音レベルと周囲騒音レベルの割合（イヤホン１１８の漏れ音レベル／周囲騒音レベル）を５段階にランク分けしてイヤホン１１８からの音漏れがどの程度大きく目立つかという音漏れ指数算出を行う。
ステップ２１９において、制御部１０１にてイヤホン１１８の音漏れによる周囲の人に迷惑度として音漏れ指数を表示部１０５に表示する。使用者に音漏れ指数を通知するためである。
【００５８】
ステップ２２０において、続いて、ステップ２１８で算出された音漏れ指数を用いて音漏れ指数が閾値以上か否かを判断し、音量調整が必要であるか否かの判断を行う。漏れ指数が閾値未満の場合にはステップ２２９に進み、音量の調整を中止する。
ステップ２２１において、音漏れ指数が閾値以上である場合、音量調整量部１０１Ｂでは、イヤホン１１８からの漏れ音の周波数分析結果に対して、高音成分、低音成分を求め、
高音成分＞低音成分
が成立するか否かを判断する。上記式が成立しない場合にはステップ２２３に進む。
【００５９】
ステップ２２２において、上記式が成立する場合には、音量調整量部１０１Ｂでは、周囲騒音の周波数分析結果に対して、高音成分、低音成分を求め、
高音成分＞低音成分
が成立するか否かを判断する。上記式が成立しない場合又は成立する場合にはステップ２２３に進む。
【００６０】
ステップ２２３において、音量調整量部１０１Ｂではメモリ１０３の音量調整量保持部１０３Ａの保持されている漏れ音指数に基づく音量調整量を取り出して音量調整量に合わせてレシーバ増幅器１１２にゲインが小さくなるように設定変更を行う。
このようにして、周囲の人に迷惑であると判断された場合は、制御部１０１の音量調整量部１０１Ｂで、音漏れ指数と周波数分析結果を考量しイヤホン１１８からの音漏れが周囲の人に迷惑とならない音量となる音量調整を行うことが可能になる。
【００６１】
ステップ２２４において、音量調整が必要であることを使用者に知らせるメッセージを表示部１０５に表示する。
ステップ２２５において、操作部１０４の特定キーを音量調整ボタン１０４Ｂに割り当てて数秒間、待機状態となる。
ステップ２２６において、使用者により音量調整ボタン１０４Ｂが押下されたか否かを判断する。押下されない場合にはステップ２２８に進む。
【００６２】
ステップ２２７において、音量調整ボタン１０４Ｂが押下された場合には、制御部１０１の音量調整量部１０１Ｂがメモリ１０３の音量調整量保持部１０３Ａに保持されている音量調整量に合わせてレシーバ増幅器１１２のゲインが小さくなるように変更を行う。これにより、イヤホン１１８の再生音に対する入力信号のレベル調整を行い、イヤホン１１８の出力音を抑制し、周囲の人への迷惑を低減する。
【００６３】
ステップ２２８において、待機状態の間に音量調整ボタン１０４Ｂが押下されなかった場合にはタイムアウトとなる。
ステップ２２９において、漏れ音チェックモードの終了となり、処理を終了する。
以上の説明で本発明によれば、携帯電話無線機１００に内蔵されるオーディオプレイヤーで楽曲を再生しステレオイヤホンマイクロフォン１１６を用いて聴く際に使用者の特定キーの押下によりマイクロフォン１１７でイヤホン１１８から漏れる音と周囲騒音を測定し、レベルを算出し、音響処理部１０２の周波数分析部１０２Ａで周波数分析を行い、イヤホン１１８からの漏れ音のレベル、周囲騒音のレベルに応じて、周波数分析を考慮して、イヤホン１１８からの漏れ音の高音成分が周囲騒音の高音成分、低音成分に対してどの程度周囲の人に影響を与えているかを算出し、表示部１０５に表示することが可能となる。
【００６４】
また、イヤホン１１８からの漏れ音のレベルが大きく周囲の人に迷惑となっている場合は、表示部に表示し使用者に通知して周囲の人への迷惑とならないようなイヤホン１１８への入力信号を押さえる音量調整量を算出し、使用者の音量調整ボタン１０４Ｂの押下によりイヤホン１１８の再生音に対する入力信号の調整を可能とし、周囲の人へ迷惑とならない音量レベルに調整することが可能となる。
【実施例１】
【００６５】
以上の説明では、ステレオイヤホンマイクロフォン１１６のマイクロフォン１１７で周囲騒音、イヤホン１１８の漏れ音の集音を行ったが、携帯電話無線機１００の本体のマイクロフォン１０７で同様の集音を行った場合にも適用可能である。
【実施例２】
【００６６】
図９は図１における携帯電話無線機の概略構成の第１の変形例を示すブロック図である。本図に示すように、図１と比較して、制御部１０１とレシーバ増幅器１１２の間にオートゲインコントロール（ＡＧＣ）回路１１５が設けられ、操作部１０４の音量調整ボタン１０４Ｂの割り当てが解除される。音量調整を行う場合には制御部１０１からオートゲインコントロール回路１１５を介してレシーバ増幅器１１２のゲインが自動的に小さくなるように変更制御される。これにより、前述で説明した、使用者に対して音量調整ボタン１０４Ｂの押下の要求が不要となる。
【００６７】
このようにして、使用者が音量調整ボタン１０４Ｂを押下することなく、ステレオイヤホンマイクロフォン１１６のイヤホン１１８への入力信号を自動的に調整可能になる。
【実施例３】
【００６８】
図１０は図１における携帯電話無線機の概略構成の第２の変形例を示すブロック図である。本図に示すように、図１と比較して、制御部１０１にイコライジング量算出部１０１Ｃが追加され、音響処理部１０２にはイコライジング処理部１０２Ｂが追加される。
制御部１０１のイコライジング量算出部１０１Ｃは音響処理部１０２の周波数分析部１０２Ａで周囲騒音を除去したイヤホン１１８からの漏れ音の周波数分析結果を基に高音成分を除去したイコライジング量を算出する。
【００６９】
音響処理部１０２のイコライジング処理部１０２Ｂはメモリ１０３、図示しない外部メモリに保存されているＭＰ３（ＭＰＥＧ−１  Ａｕｄｉｏ  Ｌａｙｅｒ−３）などの形式で保存された楽曲データをデジタル処理し、デジタル処理された楽曲データに対してイコライジング量算出部１０１Ｃで算出されたイコライジング量でイコライジング処理を行い、Ｄ／Ａコンバータ１１１に出力し、再生を行う。
【００７０】
図１１は図９の漏れ音チェックモードの動作であり、使用者が携帯電話機に内蔵されるオーディオプレイヤーをステレオイヤホンマイクロフォン１１６のイヤホン１１８で聴く場合特定キーを押下した際に行われる周囲騒音、イヤホン１１８の漏れ音を集音し、周波数分析を行い、イコライジング処理を行い周波数特性の調整を行う一連の動作を説明するフローチャートである。
【００７１】
本図に示すように、図８と比較して、ステップ２３８で漏れ音指数算出後、ステップ２３９において、周囲騒音を除去したイヤホン１１８からの漏れ音の周波数分析結果を基にイコライジング量を算出し、ステップ２４０で漏れ音指数と共に高音成分を除去したイコライジング量が表示される。
さらに、図８のステップ２２１、ステップ２２２が削除される。
【００７２】
さらに、ステップ２４５で音量調整ボタンが押下されると、ステップ２４６において、楽曲データに対してイコライジング量調整が行われ、ステップ２４７で音量調整が行われ、再生が行われる。
したがって、本発明によれば、高音成分を除去するイコライジング処理と漏れ音指数による音量調整を行うので、前述のように、イヤホン１１８の漏れ音、周囲騒音の高音成分、低音成分の評価により音量調整量を増加させる処理を省略可能となり、イヤホン１１８の音漏れを防止しつつ楽曲が聴き易くした再生が可能になる。
【実施例４】
【００７３】
周囲騒音の周波数分析で低音成分が高音成分よりも大きい場合には、イヤホンへの再生音の低音成分をブーストするようにイコライジング処理を行うようにしてもよい。これにより、イヤホンの漏れ音の音量調整と共に楽曲、受話音が聴き易くなる。
【産業上の利用可能性】
【００７４】
以上の説明では携帯電話無線機１００についてイヤホン再生音漏洩防止の説明を行ったが、オーディオプレイヤーだけでなくＦＭラジオ、テレビジョン（ＴＶ）の音声を聴く場合、ゲームを行う場合にも利用可能であり、これに限らず、ＰＨＳ（簡易携帯電話機）、ＰＤＡ（携帯情報端末）、録音機能を備えたシリコンオーディオプレイヤーなどに本発明のイヤホン再生音漏洩防止機能を備えることは可能である。
【図面の簡単な説明】
【００７５】
【図１】本発明に係る携帯電話無線機の概略構成を示すブロック図である。
【図２】ステレオイヤホンマイクロフォン１１６のマイクロフォン１１７による周囲騒音、イヤホン１１８からの漏れ音の処理を説明するタイミングを説明する図である。
【図３】図１における制御部１０１の漏れ音指数算出部１０１Ａで算出される漏れ音指数の例を説明する図である。
【図４】図１における音響処理部１０２の周波数分析部１０２Ａの周波数分析結果の例を説明する図である。
【図５】図１における制御部１０１の漏れ音指数算出部１０１Ａによるイヤホン１１８の漏れ音、周波数音の周波数分析評価を示す図である。
【図６】図１におけるメモリ１０３の音量調整量保持部１０３Ａに保持される音量調整量の例を説明する図である。
【図７】携帯電話無線機に内蔵されるオーディオプレイヤーを起動してステレオイヤホンマイクロフォン１１６で音楽を聴く動作について説明するフローチャート図である。
【図８】図１の漏れ音チェックモードの動作であり、携帯電話無線機１００に内蔵されているオーディオプレイヤーをステレオイヤホンマイクロフォン１１６で聴く場合に操作部１０４の漏れ音チェックボタン１０４Ａを押下して行われるイヤホン１１８からの音漏れ及び周囲騒音レベルを集音し測定結果処理し表示部１０５に表示し、音圧調整する一連の動作を説明するフローチャートである。
【図９】図１における携帯電話無線機の概略構成の第１の変形例を示すブロック図である。
【図１０】図１における携帯電話無線機の概略構成の第２の変形例を示すブロック図である。
【図１１】図１０の漏れ音チェックモードの動作であり、使用者が携帯電話機に内蔵されるオーディオプレイヤーをステレオイヤホンマイクロフォン１１６のイヤホン１１８で聴く場合特定キーを押下した際に行われる周囲騒音、イヤホン１１８の漏れ音を集音し、周波数分析を行い、イコライジング処理を行い周波数特性の調整を行う一連の動作を説明するフローチャートである。
【符号の説明】
【００７６】
１００…携帯電話無線機
１０１…制御部
１０１Ａ…漏れ音指数算出部
１０１Ｂ…音量調整部
１０１Ｃ…イコライジング量算出部
１０２…音響処理部
１０２Ａ…周波数分析部
１０２Ｂ…イコライジング処理部
１０３…メモリ
１０３Ａ…音量調整量保持部
１０４…操作部
１０４Ａ…漏れ音チェックボタン
１０４Ｂ…音量調整ボタン
１０５…表示部
１０６…無線部
１０７…マイクロフォン
１０８…マイクロフォン増幅器
１０９…Ａ／Ｄコンバータ
１１０…レベル検出回路
１１１…Ｄ／Ａコンバータ
１１２…レシーバ増幅器
１１３…受話用レシーバ
１１４…イヤホン切替回路
１１５…オートゲインコントロール回路
１１６…ステレオイヤホンマイクロフォン
１１７…マイクロフォン
１１８…イヤホン
【図１】
2007088521.tif 000003
【図２】
2007088521.tif 000004
【図３】
2007088521.tif 000005
【図４】
2007088521.tif 000006
【図５】
2007088521.tif 000007
【図６】
2007088521.tif 000008
【図７】
2007088521.tif 000009
【図８】
2007088521.tif 000010
【図９】
2007088521.tif 000011
【図１０】
2007088521.tif 000012
【図１１】
2007088521.tif 000013